(57)【特許請求の範囲】
【請求項１】
クレーンから吊り下げた重錘を自由落下させて水中地盤を押圧することにより、この水中地盤の表面を所定形状に均す水中地盤の均し方法において、
下端部に着脱可能な水中地盤均し用アタッチメントを装着したグラブバケットを前記重錘として使用し、クレーンから吊り下げた前記グラブバケットの一対のシェルを開いた状態にして、この状態の前記グラブバケットに装着した前記アタッチメントの下面を水平に対して傾斜させた状態で前記重錘を自由落下させることを特徴とする水中地盤の均し方法。
【請求項２】
クレーンから吊り下げた重錘を自由落下させて水中地盤を押圧することにより、この水中地盤の表面を所定形状に均す水中地盤の均し方法において、
下端部に着脱可能な水中地盤均し用アタッチメントを装着したグラブバケットを前記重錘として使用し、クレーンから吊り下げた前記グラブバケットの一対のシェルを閉じた状態にして、かつ、前記一対のシェルの内部には、前記一対のシェルを閉じることにより保持される重量調整部材を収容した状態にして、この状態の前記グラブバケットに装着した前記アタッチメントの下面を水平に対して傾斜させた状態で前記重錘を自由落下させることを特徴とする水中地盤の均し方法。
【請求項３】
前記アタッチメントに収容部を設け、この収容部に重量調整部材を収容する請求項１または２に記載の水中地盤の均し方法。
【請求項４】
グラブバケットに着脱自在に装着される水中地盤均し用アタッチメントであって、
前記グラブバケットの下端部に着脱自在に接続される取り付け部と、この取り付け部の下方に配置されて水中地盤の表面を押圧する押圧部とを備え、前記グラブバケットの一対のシェルを開いた状態で前記取り付け部が前記グラブバケットの下端部に着脱自在に接続される構成であり、クレーンから吊り下げられた前記グラブバケットに前記取り付け部を介して装着された際に前記押圧部の下面が水平に対して傾斜する構成にしたことを特徴とする水中地盤均し用アタッチメント。
【発明の詳細な説明】
【技術分野】
【０００１】
本発明は、水中地盤の均し方法および水中地盤均し用アタッチメントに関し、さらに詳しくは、アタッチメントを装着したグラブバケットを自由落下させる重錘として使用し、多大な工数を要することなく、法面を滑らかに均すことができる水中地盤の均し方法および水中地盤均し用アタッチメントに関するものである。
【背景技術】
【０００２】
水中捨石均し工事等、水中の地盤を均す工事を行う工法として、作業船のクレーンブームで吊り上げた重錘を自由落下させる作業を繰り返し行うことにより地盤を押圧し、水中地盤の表面を所定形状に均す方法が知られている（例えば特許文献１、図２参照）。
【０００３】
この従来工法では、自由落下させた重錘の平坦な下面により水中地盤の表面を押圧するので、捨石基礎の天端の水平面の均し作業を行うことは容易である。しかしながら、法面を滑らかに均すことは困難であり、滑らかに均そうとすれば多大な工数が必要となる。例えば、法面の仕上げ造成は潜水士の水中仕上げ手作業に依存せざるを得なかった。
【先行技術文献】
【特許文献】
【０００４】
【特許文献１】特開２００３−１８４０９０号公報
【発明の概要】
【発明が解決しようとする課題】
【０００５】
本発明の目的は、アタッチメントを装着したグラブバケットを自由落下させる重錘として使用し、多大な工数を要することなく、法面を滑らかに均すことができる水中地盤の均し方法および水中地盤均し用アタッチメントを提供することにある。
【課題を解決するための手段】
【０００６】
上記目的を達成するため本発明の水中地盤の均し方法は、クレーンから吊り下げた重錘を自由落下させて水中地盤を押圧することにより、この水中地盤の表面を所定形状に均す水中地盤の均し方法において、下端部に着脱可能な水中地盤均し用アタッチメントを装着したグラブバケットを前記重錘として使用し、クレーンから吊り下げた前記グラブバケットの一対のシェルを開いた状態にして、この状態の前記グラブバケットに装着した前記アタッチメントの下面を水平に対して傾斜させた状態で前記重錘を自由落下させることを特徴とする。
本発明の別の水中地盤の均し方法は、クレーンから吊り下げた重錘を自由落下させて水中地盤を押圧することにより、この水中地盤の表面を所定形状に均す水中地盤の均し方法において、下端部に着脱可能な水中地盤均し用アタッチメントを装着したグラブバケットを前記重錘として使用し、クレーンから吊り下げた前記グラブバケットの一対のシェルを閉じた状態にして、かつ、前記一対のシェルの内部には、前記一対のシェルを閉じることにより保持される重量調整部材を収容した状態にして、この状態の前記グラブバケットに装着した前記アタッチメントの下面を水平に対して傾斜させた状態で前記重錘を自由落下させることを特徴とする。
【０００７】
本発明の水中地盤均し用アタッチメントは、グラブバケットに着脱自在に装着される水中地盤均し用アタッチメントであって、前記グラブバケットの下端部に着脱自在に接続される取り付け部と、この取り付け部の下方に配置されて水中地盤の表面を押圧する押圧部とを備え、前記グラブバケットの一対のシェルを開いた状態で前記取り付け部が前記グラブバケットの下端部に着脱自在に接続される構成であり、クレーンから吊り下げられた前記グラブバケットに前記取り付け部を介して装着された際に前記押圧部の下面が水平に対して傾斜する構成にしたことを特徴とする。
【発明の効果】
【０００８】
本発明によれば、地盤均し用アタッチメントを装着したグラブバケットを重錘として使用し、クレーンから吊り下げたグラブバケットに装着したアタッチメントの下面を水平に対して傾斜させた状態で、自由落下させれば、法面に対して垂直方向から押圧することができる。したがって、従来工法に比して法面をより滑らかに仕上げることができ、しかも多大な工数を要することもない。
【０００９】
前記アタッチメントの下面が傾斜面状に形成されていて、アタッチメントを装着した前記グラブバケットを中立状態で吊り下げることもできる。この構成にすると、吊り下げられたグラブバケットや吊りワイヤーに不用意な負荷が生じない。また、クレーンから吊り下げた際のアタッチメントの下面の傾斜角度を広い範囲で任意に設定しやすくなる。尚、この中立状態とは、アタッチメントを装着せずにグラブバケットのみを吊り下げた場合と同様に、実質的に傾くことなくグラブバケットが吊り下げられる状態をいう。
【００１０】
前記アタッチメントの下面が水平面状に形成されていて、アタッチメントを装着した前記グラブバケットを中立状態に対して傾けて吊り下げることもできる。この構成にすると、アタッチメントを平坦面に安定して載置できるので、アタッチメントをグラブバケットに装着する作業が容易になる。
【００１１】
前記アタッチメントの下面が傾斜面状に形成されていて、アタッチメントを装着した前記グラブバケットを中立状態に対して傾けて吊り下げることもできる。この構成にすると、クレーンから吊り下げた際のアタッチメントの下面の傾斜角度を一段と大きくすることも可能になる。
【００１２】
前記グラブバケットの一対のシェルを閉じた状態で前記アタッチメントを装着することもできる。この場合、一対のシェルの外壁にアタッチメントを当接させて装着させることができるので、アタッチメントをグラブバケットにより安定した状態で装着できる。また、アタッチメントのサイズを、一対のシェルを開いた状態で装着する場合に比して小さくできるので、水中に自然落下させた際に水の抵抗が小さくなり、水中地盤をより強く押圧することが可能になる。
【００１３】
前記グラブバケットの一対のシェルを開いた状態で前記アタッチメントを装着することもできる。この場合、一対のシェルを閉じた状態で装着する場合に比してアタッチメントのサイズを大きくし易いので、一度の自由落下でより広い範囲の水中地盤を押圧することができる。また、グラブバケットは本来一対のシェルが開いた状態で地盤と衝突することを想定して設計されているので、グラブバケットには想定外の負荷が生じ難い。
【００１４】
前記グラブバケットの一対のシェルの内部に重量調整部材を収容して閉じた状態にすることもできる。これにより、重錘による地盤への押圧力を大きくすることができる。
【００１５】
前記アタッチメントに収容部を設け、この収容部に前記重量調整部材を収容することもできる。これにより、地盤への押圧力を大きくすることができる。
【図面の簡単な説明】
【００１６】
【図１】本発明の水中地盤均し用アタッチメントとこのアタッチメントが装着されるグラブバケットと設置台とを正面視で例示する説明図である。
【図２】図１のアタッチメント、グラブバケットおよび設置台を側面視で例示する説明図である。
【図３】一対のシェルの内部に重量調整部材を収容した図２のグラブバケットにアタッチメントを装着した状態を側面視で例示する説明図である。
【図４】図３のアタッチメントおよびグラブバケットを吊り下げた状態を正面視で例示する説明図である。
【図５】本発明の水中地盤の均し方法において、重錘により水中地盤を押圧して均している状態を例示する説明図である。
【図６】本発明の水中地盤の均し方法において、重錘を引きずって水中地盤の起伏を均している状態を例示する説明図である。
【図７】別の実施形態の水中地盤均し用アタッチメントを装着したグラブバケットを吊り下げた状態を側面視で例示する説明図である。
【図８】さらに別の実施形態の水中地盤均し用アタッチメントを装着したグラブバケットを側面視で例示する説明図である。
【図９】さらに別の実施形態の水中地盤均し用アタッチメントを装着したグラブバケットを側面視で例示する説明図である。
【図１０】さらに別の実施形態の水中地盤均し用アタッチメントを装着したグラブバケットを吊り下げた状態を側面視で例示する説明図である。
【図１１】さらに別の実施形態の水中地盤均し用アタッチメントを装着したグラブバケットを吊り下げた状態を側面視で例示する説明図である。
【図１２】さらに別の実施形態の水中地盤均し用アタッチメントを装着したグラブバケットを吊り下げた状態を側面視で例示する説明図である。
【発明を実施するための形態】
【００１７】
以下、本発明の水中地盤の均し方法および水中地盤均し用アタッチメントを図に示した実施形態に基づいて説明する。
【００１８】
図１〜４に例示する本発明の水中地盤均し用アタッチメント３（以下、アタッチメント３）は、グラブバケット２（以下、バケット２）に装着してバケット２とともに重錘１として使用する。尚、図中のＸ方向はグラブバケット２の幅方向、Ｙ方向はグラブバケット２の奥行き方向（一対のシェル２ａの開閉方向）、Ｚ方向はグラブバケット２の高さ方向を示している。また、重錘１の重心をＧ１、バケット２の重心をＧ２、アタッチメント３の重心をＧ３で示している。上部ブロック２ｂを軸支してバケット２の回転中心となるピン２ｆの中心を通る鉛直線Ａおよび水平線Ｈを一点鎖線で示し、ピン２ｆの中心と重心Ｇ２を通る仮想直線Ｂを二点鎖線で示している。尚、図１、７では鉛直線Ａと仮想直線Ｂとが重なっているのでこれらを一点鎖線で示している。
【００１９】
本発明で使用するバケット２は、従来、浚渫用として使われている一般的なグラブバケットである。この実施形態で例示するバケット２の上端面の幅方向中央には上部ブロック２ｂが固定されている。上部ブロック２ｂには、吊りワイヤー２ｃが接続された正面視でＵ字状の部品がピン２ｆによって回転可能に連結されている。ピン２ｆを中心にして吊り下げられたバケット２が幅方向に回転する。上部ブロック２ｂの下方には開閉シーブ２ｄが配置されている。開閉シーブ２ｄは開閉ワイヤー２ｅによって上下移動可能に吊られている。
【００２０】
図１は中立状態で吊り下げられているバケット２を例示している。この中立状態とは、図１のようにバケット２が実質的に傾くことなく吊り下げられている状態であり、ピン２ｆを中心としてバケット２の幅方向に±５°の範囲内で傾いている状態も含むものである。
【００２１】
開閉シーブ２ｄの下端には、連結部材２ｇを介して一対のシェル２ａの上端部が回転可能に連結されている。開閉シーブ２ｄが下方移動することにより、それぞれのシェル２ａがＹ方向両端の回転軸を中心に回転して一対のシェル２ａが開口する。開閉シーブ２ｄが上方移動することにより、一対のシェル２ａは閉口する。
【００２２】
アタッチメント３はバケット２の下端部に着脱自在に接続される取り付け部４と、この取り付け部４の下方に配置され、水中地盤の表面を押圧する押圧部５とを備えている。
【００２３】
取り付け部４は、一対のシェル２ａと押圧部５との間に介在する媒介部材４ａと、アタッチメント３をバケット２に接続する接続部材４ｂとから構成されている。
【００２４】
媒介部材４ａは、一対のシェル２ａと押圧部５とを安定して固定するために、両者の当接面積を大きくする部材である。媒介部材４ａは、アタッチメント３を装着する際の一対のシェル２ａの状態に合わせた形状にするとよい。例えば、この実施形態のように一対のシェル２ａが閉じた状態でアタッチメント３を装着する場合には、媒介部材４ａの上端部を一対のシェル２ａの外壁の下端部の円弧形状に合わせた形状にする。また、一対のシェル２ａのＸ方向およびＹ方向の寸法よりも大きく媒介部材４ａを形成し、一対のシェル２ａの全周囲を媒介部材４ａで包み込むようにするとよい。
【００２５】
接続部材４ｂとしては、例えば両端にフックのついた金属製のワイヤーを使用することができる。接続部材４ｂの構成や配置、数は適宜決定することができる。また、接続部材４ｂを接続固定するアンカー等を適宜、バケット２に設けることもできる。
【００２６】
押圧部５は、例えば金属製の板状部材である。押圧部５の寸法や形状、下面に設ける傾斜角度、重量、重心の位置は、押圧したい角度や面積、求められる押圧力等によって適宜選択する。
【００２７】
この実施形態では、下面が傾斜面状に形成されている鉄製の四角柱状体を押圧部５として使用している。傾斜面状とは、中立状態で傾きが固定されたバケット２にアタッチメント３を装着した場合に、アタッチメント３（押圧部５）の下面が水平面に対して傾斜していることを意味する。具体的には、押圧部５の下面は正面視で水平に対して角度αの傾斜に設定されている。角度αは例えば４５°までの範囲内、或いは３０°までの範囲内で所定の角度に設定される。押圧部５のＸ方向、Ｙ方向のそれぞれの寸法は、バケット２の一対のシェル２ａが閉じた状態のＸ方向、Ｙ方向のそれぞれの最大寸法と略同一としている。
【００２８】
閉じた状態の一対のシェル２ａの内部には重量調整部材７が収容されている。重量調整部材７は、重錘１の重量を増大させ、調整するために用いる部材である。重量調整部材７としては、石材や土砂等を使用することができる。この実施形態では重量調整部材７を用いているが、必要に応じて用いればよく、その使用は任意である。
【００２９】
このアタッチメント３を用いて水中地盤の法面Ｓを均す方法を以下に説明する。
【００３０】
まず、施工現場周辺の石材や土砂等を重量調整部材７としてバケット２によって所定量すくい、一対のシェル２ａの内部に収容して閉じた状態にする。捨石で水中にマウンド（地盤）を形成する場合は、この捨石を重量調整部材７として用いると特別に重量調整部材７を準備する必要がないので便利である。
【００３１】
次いで、媒介部材４ａの上端部の所定の位置に、下方移動させたバケット２の下端部を当接させて配置する。クレーン８の操作によってバケット２を任意の位置に移動させることができるので、媒介部材４ａへの配置を容易に行うことができる。アタッチメント３の傾斜面状の下面に合わせて形成された設置台９にアタッチメント３を設置し、媒介部材４ａの上端部をバケット２の下端部と平行にした状態にするとより容易に作業を行うことができる。そして、接続部材４ｂでバケット２とアタッチメント３とを接続し、例えば両者の幅方向中心を一致させてバケット２とアタッチメント３とを一体化する。
【００３２】
アタッチメント３を装着したバケット２（重錘１）を作業船等に搭載されたクレーン８で吊りワイヤー２ｃを用いて吊り下げる。この時に、重錘１の重心Ｇ１は鉛直線Ａ上の位置になる。図１で示すように、仮想直線Ｂに対して重心Ｇ３がずれてアタッチメント３がバケット２に装着されると、図４で示すように、重錘１は、ピン２ｆを中心として幅方向に角度βだけ回転する。したがって、吊り下げた重錘１の下面の水平に対する傾斜角度はα＋βとなる。
【００３３】
アタッチメント３の重心Ｇ３と仮想直線Ｂとのずれが小さく、角度βが±５°の範囲内になる場合は中立状態でバケット２が吊り下げられる。したがって、重心Ｇ３を仮想直線Ｂ上に位置させてアタッチメント３をバケット２に装着すれば、バケット２は幅方向に傾きなく吊り下げられることになる。一方、アタッチメント３の重心Ｇ３と仮想直線Ｂとのずれが大きく、角度βが±５°の範囲外になる場合は中立状態に対して傾いてバケット２が吊り下げられることになる。
【００３４】
そして、バケット２に装着したアタッチメント３の下面を水平に対して傾斜させた状態にして、図５に例示するように重錘１を自由落下させる。自由落下した重錘１（アタッチメント３）の押圧部５の下面が法面Ｓを押圧する。押圧された法面Ｓは、押圧部５の下面に沿って均される。したがって、押圧部５の下面の傾斜角度に近づくように法面Ｓの表面が均される。重錘１を吊り上げて自由落下させる作業を複数回繰り返し、徐々に押圧位置をずらして変えることにより法面Ｓを広範囲に均していく。
【００３５】
収容する重量調整部材７の種類（密度）または量の少なくとも一方を変更、調整することで、自由落下させた重錘１による水中地盤に対する押圧力を所望の押圧力に設定することができる。重量調整部材７が不要な場合は、一対のシェル２ａの内部は空の状態にする。尚、重錘１の落下高さを調整することによっても押圧力を変更することができる。
【００３６】
このように本発明によれば、アタッチメント３の下面を水平に対して傾斜させた状態で自由落下させて法面Ｓに対して垂直方向から押圧することができる。したがって、従来の工法に比して段差を小さくして法面Ｓをより滑らかに仕上げることができる。しかも、アタッチメント３の装着作業を行えばよいので多大な工数を要することもない。
【００３７】
また、アタッチメント３を装着したバケット２を重錘１として使用することができるので、バケット２と重錘１とを別々に用意する必要がなくなる。バケット２を搭載した作業船にアタッチメント３を搭載しておくことで、バケット２を用いて捨石作業等を行った後に、引き続きそのバケット２にアタッチメント３を装着して水中地盤を均す作業を行うことができる。
【００３８】
この実施形態では、アタッチメント３を装着したバケット２を中立状態で吊り下げるので、吊り下げられたバケット２や吊りワイヤー２ｃに不用意な負荷が生じない。また、クレーン８から吊り下げた際のアタッチメント３の下面の傾斜角度を広い範囲で任意に設定し易くなる。
【００３９】
また、一対のシェル２ａを閉じた状態でアタッチメント３を装着しているので、一対のシェル２ａの外壁にアタッチメント３を当接させて装着することができる。したがって、一対のシェル２ａを開いた状態で装着する場合に比して、アタッチメント３をバケット２に、より安定した状態で装着できる。また、アタッチメント３のサイズを一対のシェル２ａを開いた状態で装着する場合に比して小さくできるので、水中に自由落下させた際に水の抵抗が小さくなり、水中地盤をより強く押圧することが可能になる。
【００４０】
施工現場で重量調整部材７を一対のシェル２ａの内部に収容して、バケット２の重量を大きくすれば、アタッチメント３の重量を予め大きくする必要がなくなる。そのため、アタッチメント３を軽量化し、輸送コストを削減するには有利になる。
【００４１】
さらに、一対のシェル２ａの内部に収容する重量調整部材７の種類や量の少なくとも一方を変えることにより重錘１の重量を調整することができるので、例えば、地盤の状況や求められる地盤の強度に合わせて機動的に押圧力を設定できる。これに伴い、施工現場に適切な押圧力で均し施工をすることができる。
【００４２】
この実施形態では、一対のシェル２ａの全周囲を媒介部材４ａで包み込む構造にしているので、アタッチメント３がバケット２に対してずれ難くなっている。それ故、メンテナンスなしで繰り返し多数回、重錘１を自由落下させることができる。
【００４３】
また、図６で示すように重錘１を水中地盤に接地させた状態で法面Ｓに沿って重錘１をひきずることで、法面Ｓの捨石の起伏を大まかに均すこともできる。重錘１を自由落下させて押圧する作業の前に重錘１をひきずる作業を行うと捨石が大まかに均された状態で押圧することができるので、法面Ｓの表面をより均一に仕上げることができる。
【００４４】
図７に例示する実施形態のように複数の部材（例えば、部材５ａと部材５ｂ）を組み合わせてアタッチメント３（押圧部５）を構成することで、アタッチメント３の重心Ｇ３を幅方向中心に設定することもできる。そして、バケット２の幅方向中心とアタッチメント３の幅方向中心とを一致させてアタッチメント３をバケット２に装着すれば重心Ｇ１は仮想直線Ｂ上の位置になる。即ち、重錘１は中立状態で吊り下げられることになる。
【００４５】
この構成にすると、バケット２とアタッチメント３の相対的な重心位置によって変化する角度βの変化量を小さくできる。したがって、バケット２を吊り下げた際のアタッチメント３の下面の傾きを、予め設定されている傾斜角度αと同一または同等に維持することができる。
【００４６】
図８に本発明の別のアタッチメント３を例示する。この実施形態では、先の実施形態で例示したアタッチメント３に重量調整部材７を収容する収容部６が設けられている。収容部６は、取り付け部４の媒介部材４ａおよび／または押圧部５に形成された重量調整部材７を収容できる空間である。この実施形態では、媒介部材４ａの平面視で中央部に形成された孔と、この孔と挿通して押圧部５に形成された凹部とで、アタッチメント３の中央部に配置された１つの収容部６が構成されている。尚、複数箇所に分けて収容部６を設けることもできる。
【００４７】
このアタッチメント３を用いて水中地盤の法面Ｓを均す方法を以下に説明する。
【００４８】
まず、施工現場周辺の石材や土砂等を重量調整部材７としてバケット２によって所定量すくい、収容部６に収容する。次に施工現場周辺の石材や土砂等を重量調整部材７としてバケット２によって所定量すくい、一対のシェル２の内部に収容して閉じた状態にする。捨石で水中にマウンドを形成する場合は、この捨石を重量調整部材７として用いると特別に重量調整部材７を準備する必要がないので便利である。
【００４９】
次いで、媒介部材４ａの上端部の所定の位置に、下方移動させたバケット２の下端部を当接させて配置する。その後のバケット２にアタッチメント３を装着する工程、重錘１を自由落下させる工程は先の実施形態と同様である。
【００５０】
この実施形態では、施工現場で重量調整部材７を収容部６に収容することで、アタッチメント３の重量を大きくできるので、アタッチメント３の重量を予め大きくする必要がなくなる。そのため、アタッチメント３を軽量化し、輸送コストを削減するには有利になる。
【００５１】
また、収容部６に収容する重量調整部材７の種類や量の少なくとも一方を変えることにより重錘１の重量を調整することができるので、例えば、地盤の状況や求められる地盤の強度に合わせて機動的に押圧力を設定できる。これに伴い、施工現場に適切な押圧力で均し施工をすることができる。
【００５２】
図９に本発明のさらに別のアタッチメント３を例示する。この実施形態では、一対のシェル２ａを開いた状態のバケット２にアタッチメント３が装着される。この実施形態では、一対のシェル２ａが全開状態になっている。
【００５３】
一対のシェル２ａを開いた状態のバケット２にアタッチメント３を装着する場合には、一対のシェル２ａを閉じた状態に比してアタッチメント３と一対のシェル２ａとの当接面積を確保し難い。そのため、アタッチメント３をバケット２に安定して装着するためには、媒介部材４ａを一対のシェル２ａを開いた状態の形状に合わせて成形し、一対のシェル２ａと当接できる面積を大きくするとよい。例えば、開いた状態の一対のシェル２ａの開口縁に沿った外周形状を有する凹部、或いは、この開口縁が挿入される溝部を媒介部材４ａの表面に形成する。
【００５４】
このアタッチメント３を用いて水中地盤の法面Ｓを均す方法を以下に説明する。
【００５５】
まず、媒介部材４ａの上端部の所定の位置に、下方移動させたバケット２を一対のシェル２ａが開いた状態で挿入させるように配置する。具体的には、開いた状態の一対のシェル２ａの開口縁が媒介部材４ａの上面に挿入された状態にして、一対のシェル２ａを若干閉じるように操作をして媒介部材４ａと一対のシェル２ａとを噛み合わせる。その後のバケット２にアタッチメント３を装着する工程、重錘１を自由落下させる工程は先の実施形態と同様であり、このアタッチメント３の下面を水平に対して傾斜させた状態で重錘１を自由落下させる。
【００５６】
この実施形態では、一対のシェル２ａを開いた状態でアタッチメント３を装着しているので、一対のシェル２ａを閉じた状態で装着する場合に比して、アタッチメント３のサイズを大きくし易い。アタッチメント３のサイズを大きくすると、一度の自由落下でより広い範囲の水中地盤を押圧することができる。
【００５７】
また、バケット２は本来一対のシェル２ａが開いた状態で地盤と衝突することを想定して設計されているので、この実施形態ではバケット２には想定外の負荷が生じ難い。尚、この実施形態のアタッチメント３に対しても上述した収容部６を設けることができる。
【００５８】
図１０にさらに別のアタッチメント３を例示する。
【００５９】
この実施形態で用いるアタッチメント３の媒介部材４は、図１〜４で例示した実施形態と同様の構成である。
【００６０】
押圧部５は、下面と上面が平行で、下面が水平面状に形成されている。押圧部５は、密度（比重）の異なる部材５ａと部材５ｂとを組み合わせて構成することにより、アタッチメント３の重心Ｇ３が、幅方向中心に対して一方に偏心している。押圧部５のＸ方向、Ｙ方向のそれぞれの寸法は、バケット２の一対のシェル２ａが閉じた状態のＸ方向、Ｙ方向のそれぞれの最大寸法と略同一としている。
【００６１】
このアタッチメント３を用いて水中地盤の法面Ｓを均す方法を以下に説明する。
【００６２】
バケット２とアタッチメント３とを一体化するまでの工程は図１〜４で例示した実施形態と同様である。例えば、バケット２の幅方向中心とアタッチメント３の幅方向中心とを一致させてアタッチメント３をバケット２に装着する。次いで、アタッチメント３を装着したバケット２（重錘１）を作業船等に搭載されたクレーンで吊りワイヤー２ｃを用いて吊り下げる。すると、重心Ｇ１は仮想直線Ｂ上からずれた位置になり、重錘１はピン２ｆを中心として幅方向に角度βだけ回転する。したがって、バケット２が中立状態に対して傾いた状態で吊り下げられ、重錘１の下面の水平に対する傾斜は角度βになる。この状態で重錘１を自由落下させる。この後の工程は先の実施形態と同様である。
【００６３】
この実施形態では、アタッチメント３の下面が水平面状に形成されている。そのため、アタッチメント３を平坦面に安定して載置できるので、アタッチメント３をバケット２に装着する作業が容易になる。
【００６４】
この実施形態のアタッチメント３に対しても上述した収容部６を設けることも、一対のシェル２ａを開いた状態のバケット２に装着する構成にすることもできる。また、アタッチメント３の下面を傾斜面状に形成することもできる。
【００６５】
図１１にさらに別のアタッチメント３を例示する。
【００６６】
この実施形態で用いるアタッチメント３の媒介部材４は、図１〜４で例示した実施形態と同様の構成である。
【００６７】
押圧部５は、下面が水平面状に形成された正面視でＬ字状の部材である。押圧部５は媒介部材４ａに対して幅方向一方側に偏心しているので、アタッチメント３の重心Ｇ３は、アタッチメント３の幅方向中心に対してずれた位置にある。
【００６８】
このアタッチメント３は、例えば媒介部材４ａの幅方向中心とバケット２の幅方向中心とを一致させてアタッチメント３をバケット２に装着する。次いで、バケット２を吊り下げると、重錘１はピン２ｆを中心として幅方向に角度βだけ回転する。これにより、バケット２は中立状態に対して傾いて吊り下げられ、重錘１の下面は水平に対して角度βで傾斜した状態になる。
【００６９】
このアタッチメント３を用いて水中地盤の法面Ｓを均す方法は、図１０で例示した実施形態と同様である。
【００７０】
この実施形態では、アタッチメント３の下面が水平面状に形成されているので平坦面に安定して載置できる。そのため、アタッチメント３をバケット２に装着する作業が容易になる。しかも、押圧部５をアタッチメント３の幅方向中心に対して偏在させるだけで、アタッチメント３の重心Ｇ３をアタッチメント３の幅方向中心からずらしている。それ故、アタッチメント３の下面を水平面状に形成していながらも、吊り下げた重錘１の下面を傾斜させるには簡素な構造になっている。
【００７１】
尚、この実施形態のアタッチメント３に対しても上述した収容部６を設けることも、一対のシェル２ａを開いた状態のバケット２に装着する構成にすることもできる。また、アタッチメント３の下面を傾斜面状に形成することもできるし、複数の部材を用いて押圧部５を構成することもできる。
【００７２】
図１２にさらに別のアタッチメント３を例示する。
【００７３】
このアタッチメント３は、図１〜４で例示した実施形態のアタッチメント３に収容部６を２ヶ所設けている。具体的には、媒介部材４ａを上下に貫通する孔と、この孔と挿通して押圧部５に形成された凹部とで構成された収容部６が、仮想直線Ｂに対して左右対称に２ヶ所設けられている。
【００７４】
このアタッチメント３は、左右２ヶ所に設けられたそれぞれの収容部６に収容する重量調整部材７の重量バランスを変化させることで、アタッチメント３の重心Ｇ３の位置を変化させることができる。つまり、このアタッチメント３をバケット２に装着することで、重錘１の重心Ｇ１が仮想直線Ｂ上からずれることで生じる角度βを変化させることができる。例えば、正面視で左側の収容部６を空にした状態で右側の収容部６に重量調整部材７を収納すれば、相対的に重量が大きくなった右側に重心Ｇ３が移動する。
【００７５】
このアタッチメント３を用いて水中地盤の法面Ｓを均す方法を以下に説明する。
【００７６】
まず、施工現場周辺の石材や土砂等を重量調整部材７としてバケット２によって所定量すくい、収容部６に収容する。収容部６に収容する重量調整部材７の重量のバランスを調整することにより、吊り下げたバケット２に装着したアタッチメント３（重錘１）の下面、即ち押圧部５の下面の水平に対する傾斜角度を決定する。その後のバケット２にアタッチメント３を装着する工程、重錘１を自由落下させる工程は先の実施形態と同様である。
【００７７】
この実施形態では、それぞれの収納部６に収容する重量調整部材７の重量バランスを変化させることで、吊り下げた重錘１の下面の傾斜角度α＋βを変化させることができる。つまり、アタッチメント３を装着したバケット２を中立状態で吊り下げることもできるし、中立状態に対して傾けて吊り下げることもできる。
【００７８】
また、この実施形態では、アタッチメント３の下面が予め傾斜面状に形成されていて、アタッチメント３を装着したバケット２を中立状態に対して傾けて吊り下げることもできる。よって、クレーン８から吊り下げた際の重錘１の下面の傾斜角度を一段と大きくすることも可能になる。
【００７９】
尚、アタッチメント３の２ヶ所以上に収容部６を設けることもできる。この実施形態のアタッチメント３に対しても上述した一対のシェル２ａを開いた状態のバケット２に装着する構成にすることもできる。また、アタッチメント３の下面を水平面状に形成することも、複数の部材を用いて押圧部５を形成することもできる。
【符号の説明】
【００８０】
１  重錘
２  グラブバケット
２ａ  シェル
２ｂ  上部ブロック
２ｃ  吊りワイヤー
２ｄ  開閉シーブ
２ｅ  開閉用ワイヤー
２ｆ  ピン
２ｇ  連結部材
３  水中地盤均し用アタッチメント
４  取付け部
４ａ  媒介部材
４ｂ  接続部材
５  押圧部
５ａ、５ｂ  部材
６  収容部
７  重量調整部材
８  クレーン
９  設置台
Ｓ  法面
Ｇ１  重錘の重心
Ｇ２  グラブバケットの重心
Ｇ３  アタッチメントの重心
【図１】
0006511296.tif 000002
【図２】
0006511296.tif 000003
【図３】
0006511296.tif 000004
【図４】
0006511296.tif 000005
【図５】
0006511296.tif 000006
【図６】
0006511296.tif 000007
【図７】
0006511296.tif 000008
【図８】
0006511296.tif 000009
【図９】
0006511296.tif 000010
【図１０】
0006511296.tif 000011
【図１１】
0006511296.tif 000012
【図１２】
0006511296.tif 000013